(57)【要約】【課題】光と影の図案に立体感と重積感を出し、また、ライトの変化を感じさせたり、雰囲気を作り出したりする。併せて、構造を簡易にして、コストを低減する。【解決手段】飾り灯１０は、造形前板１と、造形前板１に一定距離を隔てて平行に結合された造形後板２と、これら造形前板１と造形後板２との間に設置された発光ライティングセット３とを備え、コントローラーが、市内電源と接続され、後部回路に安定した直流電源を供給する降圧コンバータと、ライティングセット駆動信号を出力するコントロール回路と、各ランプを点滅動作を含む各種動作に駆動する出力回路とにより構成される。【選択図】図１
0003122294.tif 000002
【実用新案登録請求の範囲】
【請求項１】
網穴を持つ造形前板と、
網穴を持ち、前記造形前板に複数のほぞ及びほぞみぞを介して一定距離を隔てて結合された造形後板と、
前記造形前板と前記造形後板との間に設置され、前記造形前板又は前記造形後板の内壁に設けられた固定装置に挟持された複数のランプ、前記各ランプを接続するプラグ付きの電源コード、及び各ランプをコントロールするライティングコントローラーを有するライティングセットとを備え、
前記ライティングコントローラーは、
市内電源と接続され、後部回路に安定した直流電源を供給する降圧コンバータと、
前記降圧コンバータに接続され、ライティングセット駆動信号を出力するコントロール回路と、
前記コントロール回路に接続され、前記コントロール回路から出力された前記ライティングセット駆動信号により前記各ランプを、点滅動作を含む各種動作に駆動する出力回路とを有することを特徴とする飾り灯。
【請求項２】
降圧コンバータはフルブリッジ整流回路を含み、前記フルブリッジ整流回路の一本の交流入力線に入力する交流電圧を降圧させるコンデンサー及び抵抗が直列に接続され、前記フルブリッジ整流回路の直流出力線にフィルターコンデンサーとツェナ−ダイオードが並列に接続されて、前記ツェナ−ダイオードの正負二極を後部回路の低圧直流電源の出力端とする請求項１に記載の飾り灯。
【請求項３】
コントロール回路は少なくとも一つ直流電流を変化させる出力ピンを有し、前記出力ピンにより前記コントロール回路のライティングセット駆動信号と各ランプを駆動する出力回路を接続し、前記出力回路は前記コントロール回路の出力ピンに対応するトランジスタにより構成され、当該トランジスタの基極が前記対応する出力ピンと接続されるとともにコレクターがコントロールするランプの一端に接続され、当該ランプの他端が降圧回路の出力端に接続されて回路を形成される請求項１に記載の飾り灯。
【請求項４】
コントロール回路にライティングセットの作動方式を選択するスイッチを備える請求項１に記載の飾り灯。
【考案の詳細な説明】
【技術分野】
【０００１】
本考案は、飾りに使用する飾り灯に関する。
【背景技術】
【０００２】
よく見られる飾り灯は、殆どが発光体を透光性或いは非透光性のシェードでカバーし、このシェードに透し彫り状の図案がある場合、光線はこの透し彫り状の図案を通して、外部へ明るい図案造形を投射する。この場合、発光体に、ＬＥＤ、混色ＬＥＤ、薄片粘着型発光チップ、ランプ、室内灯、冷光板（ＥＬランプ）・ネオン或いはその他の発光エレメントが使用され、その配列と組み合せ方式によって輪郭を形成する。これはよくパーティー、披露宴、宴会場で標識或いは環境雰囲気を楽しみ、またテーマを作り出すために使用し、環境を美化するように、例えばお手洗い、出入口、禁煙標識として使われる。
【特許文献１】実用新案登録第３０８３５４８号公報
【考案の開示】
【考案が解決しようとする課題】
【０００３】
しかしながら、従来の飾り灯では、（１）光と影の図案は立体感と重積感を欠く、（２）発光体が常に点灯する状態で、間欠点滅、あるいはタイムスケジュール制御ができないため、ライトの変化を感じさせたり、雰囲気を作り出したりすることができない、という問題がある。
【０００４】
本考案は、このような従来の課題に鑑みなされたもので、この種の飾り灯において、光と影の図案に立体感と重積感を出すこと、発光体の間欠点滅あるいはタイムスケジュール制御により、ライトの変化を感じさせたり、雰囲気を作り出したりすること、また、これに併せて、構造を簡易にして、コストを低減し、適用範囲を広汎にすること、ランプの使用寿命を大幅に伸ばすことなど、を目的とする。
【課題を解決するための手段】
【０００５】
上記課題を解決するために、本考案の飾り灯は、一つの網穴を持った造形前板と一つの網穴を持った造形後板及びその後板と前板との間に数本の突出したほぞ及びほぞみぞによって結合させ、これより前板と後板を一定距離を隔てて、また造形後板の内壁に数個の固定装置を設け、一つは造形前板と後板の間に設置しまた電源コードによって数個のランプのライティングセットを結合させ、かつ上記の固定装置に挟まれ、電源コードの末端はプラグと連接するのを含む。その特徴は、ライティングセットには一つのライティングコントローラーがあって、それには、一つの前端が市内電源と接続し、後端が安定直流電源を提供する降圧コンバータと接続する。一つのライティングセット駆動信号の出力コントロール回路と一つのライティングセット駆動信号を入力し、それと接続するランプを点滅させる出力回路を含む。この場合、降圧コンバータに含まれているのは、フルブリッジ整流回路とフルブリッジ整流回路の一本の交流入力線を入力交流電圧を降圧させるコンデンサー及び抵抗と直列させ、フルブリッジ整流回路の直流出力線はフィルターコンデンサーとジェナーダイオードと接続し、ジェナーダイオードの正負二極は後部回路の低圧直流電源の出力端とする。ライティングセット駆動信号の出力コントロール回路には、少なくとも一つの変化直流電を出力する出力ピンがあって、出力ピンは出力コントロール回路のライティングセット駆動信号及びそれと接続しているランプを点滅させる出力回路と接続する。その出力回路は出力ピンと対応するトリオードより組立られ、各トリオードの基極はコントロール回路の対応出力ピンと接続し、極アースを発射させる。コレクターはコントロールするランプの一端と接続し、また各ランプのもう一端の降圧回路の出力端と接続して、回路を形成する。ライティングセット駆動信号の出力コントロール回路には、ライティングセットの作動方式を選択するスイッチを設置する。
【考案の効果】
【０００６】
本考案の飾り灯は、上記構成により、光と影の図案に立体感と重積感を出し、発光体の間欠点滅あるいはタイムスケジュール制御により、ライトの変化を感じさせたり、雰囲気を作り出したりすることができる。併せて、構造を簡易にして、コストを低減し、適用範囲を広汎にすることができ、また、ランプの使用寿命を大幅に伸ばすことができる。
【考案を実施するための最良の形態】
【０００７】
図１に本考案の一実施の形態として、飾り灯の全体構成を示している。図１において、飾り灯１０は、網穴１４を持った一つの造形前板１と、網穴２５を持った一つの造形後板２と、数個のランプ３１を付けた一つの発光ライティングセット３とを備える。
【０００８】
造形前板１は内壁１３に数個の突出したほぞみぞ１１及びほぞ１２が設けられ、造形後板２は内壁２４に造形前板１の各ほぞみぞ１１及びほぞ１２と対称的に、数個の突出したほぞみぞ２１及びほぞ２２が設けられる。また造形後板２の内壁２４には、数個の固定装置２３が併せて設置され、この場合、固定装置２３に、図１ａに示すように、Ｃ形のスナップリングが採用される。このようにして造形前板１と造形後板２は、図２に示すように、相互のほぞみぞ１１及びほぞ１２とほぞ２２及びほぞみぞ２１とを嵌め込まれて結合され、これらほぞみぞ１１及びほぞ１２とほぞ２２及びほぞみぞ２１との結合により、一定の距離を隔てて平行に並設される。
【０００９】
発光ライティングセット３は、数個のランプ３１と、これら数個のランプ３１を接続する一本の電源コード３２と、この電源コード３２に接続されて各ランプ３１を制御するライティングコントローラー３３（図１ｂ参照）及びこの電源コード３２の末端に設置されるプラグ３４とにより組み立てられる。この発光ライティングセット３は、図２に示すように、各ランプ３１が造形後板２の固定装置２３に挟まれて取り付けられ、造形前板１と造形後板２との間の一定の距離の空間に設置される。
【００１０】
図３にライティングコントローラー３３とこのコントローラー３３にコントロールされるライティングセット３の回路構成を示している。図３において、ライティングコントローラー３３は、安定直流電源を供給する降圧コンバータ（低圧回路）と、ライティングセット駆動信号を出力するコントロール回路（制御回路）と、コントロール回路から出力されたライティングセット駆動信号（の入力）により、ライティングセットを駆動する出力回路とを備える。ライティングセットは、複数のランプ（ＬＡＭＰ１、ＬＡＭＰ２、ＬＡＭＰ３、ＬＡＭＰ４、…）を備える。
【００１１】
降圧コンバータはダイオードＤ１〜Ｄ４により組み立てられたフルブリッジ整流回路が採用される。このフルブリッジ整流回路の一方の交流入力線Ｌ１に入力する交流電圧の上げ下げ作用に役立つコンデンサーＣ１と抵抗Ｒ１が直列に接続され、他方の交流入力線Ｌ２は直接市内電源（１００〜２４０Ｖ、５０〜６０Ｈｚの交流電圧）と接続され、フルブリッジ整流回路の直流出力線Ｌ３、Ｌ４にフィルターコンデンサーＣ２とツェナ−ダイオードＤ５が並列に接続されて、ツェナ−ダイオードＤ５の正負２極を後部回路の低圧直流電源の出力端とする。このようにして降圧コンバータは市内電源と接続され、発光ライティングセット３を含む後部回路に安定した直流電源を供給する。
【００１２】
コントロール回路は抵抗Ｒ３、ＩＣ、スイッチＳＷ−ＰＢなどで構成される。抵抗Ｒ３は降圧コンバータの出力端に接続され、ＩＣに電源を供給する。ＩＣは少なくとも一つ直流電流を変化させる出力ピンを備え、この出力ピンを通じてライティングセット駆動信号を出力する。この場合、ＩＣにライティングセットのＬＡＭＰ１、２、３、４、…に対応させて複数の出力ピンが備えられる。また、スイッチＳＷ−ＰＢは、ライティングセットのＬＡＭＰ１、２、３、４、…に異なる点滅効果を出すために、このコントロール回路のライティングセットの作動方式を選択するスイッチで、例えばＩＣの出力ピン１と出力ピン２の間にスイッチＳＷ−ＰＢが接続され、選択スイッチを押すことにより、対応しているコントロール回路の出力ピンと接続し、出力回路にあるランプを設定された作動方式で作動する。このようにしてコントロール回路は降圧コンバータに接続され、低圧回路からの入力により、ライティングセット駆動信号を出力する。
【００１３】
出力回路はコントロール回路の複数の出力ピンに対応して接続される複数のトランジスタＱ１、Ｑ２、Ｑ３、Ｑ４、…により組み立てられ、これらトランジスタＱ１、Ｑ２、Ｑ３、Ｑ４、…に対応して、ライティングセットのＬＡＭＰ１、２、３、４、…が接続される。この場合、各トランジスタの基極はコントロール回路の各対応する出力ピンに接続され（極アースを発射させる）、コレクターに各対応するランプ３１の一端が接続される。なお、発光ライティングセット３（ＬＡＭＰ１、２、３、４、…）の他端を降圧回路の出力端Ａと接続されて回路が構成される。このようにして出力回路はコントロール回路に接続され、コントロール回路の各出力ピンから出力されたライティングセット駆動信号（の入力）により、各出力ピンに対応する各トランジスタが導電又は半導電又は停止状態に制御され、また、振幅変調方式を利用して当該トランジスタの導通時間が調節され、当該トランジスタに対応して接続される発光ライティングセット３を駆動し、ＬＡＭＰ１、２、３、４、…を明るくしたり半分明るくしたり暗くしたりする動作、点滅する動作を含むライティング動作を行う。
【００１４】
続いて、この飾り灯１０のライティングコントローラー３３による動作について説明する。図３において、市内電源から１００〜２４０Ｖ、５０〜６０Ｈｚの交流電圧が降圧コンバータに入力されると、この交流電圧は降圧回路でコンデンサーＣ１と抵抗Ｒ１により降圧され、ダイオードＤ１〜Ｄ４により組み立てられたフルブリッジ整流回路により整流される。このフルブリッジ整流回路を通過後、そのパルス電流はフィルターコンデンサーＣ２、ツェナ−ダイオードＤ５を通して安定して出力される。この安定化された低圧直流電源がコントロール回路の中の電源供給用抵抗Ｒ３に供給される。この降圧回路に接続されたコントロール回路は、この降圧回路からの入力により、ライティングセット駆動信号を出力する。この場合、スイッチＳＷ−ＰＢにより選択されたライティングセットの作動方式に従って、コントロール回路の出力ピンの全部又は一部から多変化の直流電流が出力され、これが各出力ピンに対応して接続された出力回路の各トランジスタＱ１、２、３、４、…の全部又は一部に入力される。これによりトランジスタＱ１、２、３、４、…の全部又一部は導電又は半導電又は停止状態に制御され、また、振幅変調方式を利用して、当該トランジスタの導通時間が調節され、これらトランジスタＱ１、２、３、４、…に接続されたライティングセットのＬＡＭＰ１、２、３、４、…の全部又は一部が駆動され、ＬＡＭＰ１、２、３、４、…の全部又は一部が明るくなったり半分明るくなったり暗くなったりする動作、点滅する動作などが行われる。このようにしてランプ３１が発光されると、光線は造形前板１と造形後板２に阻止されて、直接出射できないが、逆に内壁１３、２４に阻止されて反射するので、光源は造形前板１と造形後板２の周辺及び前面と後面の網穴１４、２５から投射され、飾り灯１０の周辺に明るい輪郭である光と影及び前面と後面に数個の光点を投射する。
【００１５】
このようにこの飾り灯１０は、網穴１４を持った一つの造形前板１と、網穴２５を持った一つの造形後板２と、ランプ３１を付けた一つの発光ライティングセット３とにより構成され、発光ライティングセット３のライティングコントローラー３３により、ランプ３１の全部又は一部を明るくしたり半分明るくしたり暗くしたりする動作、点滅する動作などを行うので、光と影の図案に立体感と重積感を出すことができ、発光体の間欠点滅あるいはタイムスケジュール制御により、ライトの変化を感じさせたり、雰囲気を作り出したりすることができる。
【００１６】
また、この飾り灯１０では、特にライティングコントローラー３３に、交流電圧入力後、降圧回路に進入し、コンデンサーＣ１及び抵抗Ｒ１によって降圧した後、ダイオードＤ１〜Ｄ４によって組み合せたフルブリッジ整流回路を通過させ、そのパルス電流をコンデンサーＣ２を通してジェナーダイオードＤ５に出力する作動方式を採用したので、高価で、大型の変圧器を採用することなしに、低圧電流を得ることができ、さらに、コントロール回路に少なくとも一つライティングセット駆動信号を出力する出力ピンを設け、出力回路をコントロール回路の出力ピンに対応して接続するトランジスタにより構成して、当該トランジスタに対応して発光ライティングセット３を接続し、出力ピンから出力するライティングセット駆動信号により、出力ピンに対応するトランジスタを制御して、ライティング動作を行う形式を採用したので、この飾り灯１０の構造を簡易にして、コストを低減し、適用範囲を広汎にすることができる。またさらに、出力回路のトランジスタは安定した電流が使用されるので、このトランジスタに接続されるランプの使用寿命を大幅に伸ばすことができる。
【００１７】
なお、上記実施の形態においては、低圧回路にコンデンサーと抵抗を採用して、交流電圧を低圧に変圧しているが、変圧器を利用して、変圧することもできる。
【００１８】
以上、本考案の一実施の形態について説明したが、業者は本願実用新案登録請求の範囲に記載された要旨を越えない限り、各種類の変更を行っても、その変更或いは修正後の実施の形態は、本願考案の均等範囲を越えない限り、本願考案の範囲に含まれるべきものである。
【図面の簡単な説明】
【００１９】
【図１】本考案の一実施の形態における飾り灯の分解斜視図である。
【図１ａ】同飾り灯に採用される固定装置の拡大斜視図である。
【図１ｂ】同飾り灯に採用されるライティングコントローラーの拡大斜視図である。
【図２】同飾り灯の組合せ後の断面図である。
【図３】同飾り灯に採用されるライティングコントローラーの回路図である。
【符号の説明】
【００２０】
１０  飾り灯
１  造形前板
１１  ほぞみぞ
１２  ほぞ
１３  内壁
１４  網穴
２  造形後板
２１  ほぞみぞ
２２  ほぞ
２３  固定装置
２４  内壁
２５  網穴
３  発光ライティングセット
３１  ランプ
３２  電源コード
３３  ライティングコントローラー
３４  プラグ
Ｃ１、Ｃ３  コンデンサー
Ｒ１、Ｒ３  抵抗
Ｄ１〜Ｄ４  ダイオード
Ｄ５  ジェナーダイオード
Ｑ１〜Ｑ４  トリオード
Ｌａｍｐ１、２、３、４  ランプ
【図１】
0003122294.tif 000003
【図１ａ】
0003122294.tif 000004
【図１ｂ】
0003122294.tif 000005
【図２】
0003122294.tif 000006
【図３】
0003122294.tif 000007